(57)【要約】【課題】機械的固定工法において改修時に改修用の固定板の位置決めを容易にすることで改修にかかる工数を低減することが可能となり、さらには改修時時に下地への新たな穿孔が不要な防水シートの機械的固定工法を提供することを目的とする。【解決手段】下地に打ちこまれた受け具と、前記受け具上に配置された既存固定板と、前記既存固定板を貫通して前記受け具に着脱可能に固定された固定板留め具と、前記下地の上に敷設されると共に前記既存固定板によって固定される防水シートと、を備えた防水シート固定構造。【選択図】    図１
2018009302.tif 000002
【特許請求の範囲】
【請求項１】
下地に打ちこまれた受け具と、
前記受け具上に配置された既存固定板と、
前記既存固定板を貫通して前記受け具に着脱可能に固定された固定板留め具と、
前記下地の上に敷設されると共に前記既存固定板によって固定される防水シートと、
を備えた防水シート固定構造。
【請求項２】
前記防水シートが前記既存固定板の上に敷設され、前記既存固定板の上面と前記防水シートの下面とが接合された請求項１に記載の防水シート固定構造。
【請求項３】
前記下地に敷設された前記既存防水シートの上から前記既存固定板が前記固定板留め具により前記受け具に固定され、前記既存固定板を覆い前記防水シートと接合された補強用シートをさらに備えた請求項１に記載の防水シート固定構造。
【請求項４】
請求項１から請求項３のいずれか１項に記載の防水シート固定構造の改修工法であって、
前記固定板留め具を外す工程と、
前記受け具の上に改修用固定板を配置し、固定板留め具を前記既存固定板に貫通させて前記受け具に固定する工程と、
前記既存防水シートの上から改修用の改修防水シートを敷設する工程と、
を備える防水シート固定構造の改修工法。
【請求項５】
請求項１から請求項３のいずれか１項に記載の防水シート固定構造の改修工法であって、
前記固定板留め具を外す工程と、
前記受け具の上に改修用固定板を配置し、固定板留め具を前記既存固定板に貫通させて前記受け具に固定する工程と、
前記既存防水シートの上から改修用の改修防水シートを敷設する工程と、
を備える防水シート固定構造の改修工法。
【請求項６】
請求項１から請求項３のいずれか１項に記載の防水シート固定構造の改修工法であって、
前記固定板用留め具を外す工程と、
前記既存防水シートの上から改修用の改修防水シートを敷設する工程と、
前記改修防水シートの上に改修用固定板を配置し、固定板留め具を前記改修用固定板および前記改修防水シートに貫通させて受け具に固定する工程と、
前記改修用固定板の上から改修補強用シートを敷設し、前記改修用の改修防水シートと前記改修補強用シートとを接合する工程と、
を備える防水シート固定構造の改修工法。
【請求項７】
請求項１から請求項３のいずれか１項に記載の防水シート固定構造の改修工法であって、
前記固定板留め具を外す工程と、
前記既存固定板と前記既存防水シートの一部を取り除く工程と、
前記既存防水シートの上から改修用の改修防水シートを敷設する工程と、
前記受け具の上から改修用固定板を配置し、固定板留め具を前記既存固定板に貫通させて前記受け具に固定する工程と、
を備える防水シート固定構造の改修工法。
【請求項８】
請求項１から請求項３のいずれか１項に記載の防水シート固定構造の改修工法であって、
前記固定板留め具を外す工程と、
前記既存固定板と前記既存防水シートの一部を取り除く工程と、
受け具の上に改修用固定具を配置し、固定板留め具を前記既存固定板に貫通させて前記受け具に固定する工程と、
前記既存防水シート及び前記改修用固定板の上から改修用の改修防水シートを敷設する工程と、
前記改修用固定板と前記改修用の改修防水シートとを接合する工程と、
を備える防水シート固定構造の改修工法。
【請求項９】
請求項１から請求項３のいずれか１項に記載の防水シート固定構造の改修工法であって、
前記固定板用留め具を外す工程と、
前記既存固定板と前記既存防水シートの一部を取り除く工程と、
前記既存防水シートの上から改修用の改修防水シートを敷設する工程と、
前記改修防水シートの上に改修用固定板を配置し、固定板留め具を前記改修用固定板および前記改修防水シートに貫通させて受け具に固定する工程と、
前記改修用固定板の上から改修補強用シートを敷設し、前記改修用の改修防水シートと前記改修補強用シートとを接合する工程と、
を備える防水シート固定構造の改修工法。
【請求項１０】
請求項４から請求項９のいずれか１項に記載の防水シート固定構造の改修工法の後にさらに防水シート固定構造を改修する工法であって、
前記固定板留め具を外す工程と、
前記受け具の上に新たな固定板を配置し、固定板留め具を新たな固定板に貫通させて前記受け具に固定する工程と、
改修防水シートの上から新たな防水シートを敷設する工程と、
を備える防水シート固定構造の改修工法。
【発明の詳細な説明】
【技術分野】
【０００１】
本発明は防水シートの固定構造およびその改修工法に関する
【背景技術】
【０００２】
建築物の屋上、ベランダ、バルコニーの防水構造としてシート防水構造が用いられている。また、シート防水構造の施工において工期を短縮するために施工に工数を要しない簡便な工法が望まれている。そして、固定ディスクと固定用ビスを用いて防水シートを固定するいわゆる機械的固定工法が用いられている。
【０００３】
機械的固定工法は接着剤を用いて防水シートを固定する接着工法と比較して、下地の調整や下地の水分の乾燥を待つ必要がない等の点で工期を短縮することが可能な工法である。
【０００４】
この機械的固定工法には一般的に先付工法と後付工法とがある。
先付工法は、防水下地の上に上面が接着層で被覆された固定ディスクを固定用ビスで固定しておき、防水下地上に防水シートを敷設した後に上記固定ディスクと防水シートを接合する方法である。そして固定ディスクと防水シートとの接合は、誘導加熱装置を用いて溶着する方法等が用いられている。
また後付工法は、防水下地の上に防水シートを敷設した後に押さえ金具を抑え金具固定用ビスで固定し、上から補強用シートを接合固定する方法である。
【０００５】
ここで、防水構造は経年劣化による改修が必要であり、機械的固定工法における改修では、改修用の防水シートを敷設固定するために改修用の固定ディスクを下地に対し固定する必要がある。この改修用の固定ディスクは通常、既存の固定ディスクの位置からずらして固定されている。
【０００６】
このような改修工法として特許文献１には、既存防水シートが絶縁工法により敷設施工されたシート防水構造物の改修方法であって、改修用の第２接合片を既存の第１接合片間の所定位置に分散させ配置して既存防水シート上に固定し、その上から改修用防水シートを敷設して改修用の第２接合片に接着する方法が開示されている。
【先行技術文献】
【特許文献】
【０００７】
【特許文献１】特許第４０５６６３４号公報
【発明の概要】
【発明が解決しようとする課題】
【０００８】
しかしながらこのような機械的固定工法の改修施工は、改修用の防水シートを固定する固定板（固定ディスク）の固定位置を新たに設定する位置決めを行う必要があり、工数がかかり、工期が長くなるおそれがある。
さらに、固定板は固定用ビスによって下地に固定されるため、改修用に固定板を固定する際には固定用ビスを下地に新たに穿孔させる作業が必要となる。したがって、この新たな穿孔による工数の増大が懸念される。また改修時の新たな穿孔により発生する音や振動により屋内の人に不快感を与える懸念がある。
【０００９】
そこで本発明は上記の点を考慮してなされたもので、機械的固定工法において改修時に改修用の固定板の位置決めを容易にすることで改修にかかる工数を低減することが可能となり、さらには改修時に下地への新たな穿孔が不要となる改修工法に適した防水シート固定構造および防水シート固定構造の改修工法を提供することを目的とする。
【課題を解決するための手段】
【００１０】
本発明は、下地に打ち込まれた受け具に、防水シートを固定するための固定板を着脱可能に固定することを要旨とする。
下地に打ちこまれた受け具と、受け具上に配置された既存固定板と、既存固定板を貫通して受け具に着脱可能に固定された固定板留め具と、下地の上に敷設されると共に既存固定板によって固定される防水シートと、を備えた防水シート固定構造とすることである。さらに、先付工法として防水シートが既存固定板の上に敷設され、既存固定板の上面と防水シートの下面とが接合された防水シート固定構造としてもよいし、後付工法として下地に敷設された既存防水シートの上から既存固定板が固定板留め具により受け具に固定され、既存固定板を覆い防水シートと接合された補強用シートをさらに備えた防水シート固定構造としてもよい。
さらに、これらの防水シート固定構造の改修工法として、固定板留め具を外す工程と、受け具の上に改修用固定板を配置し、固定板留め具を既存固定板に貫通させて受け具に固定する工程と、既存防水シートの上から改修用の改修防水シートを敷設する工程と、を備える防水シート固定構造の改修工法とすることができる。また、固定板留め具を外す工程と、受け具の上に改修用固定板を配置し、固定板留め具を既存固定板に貫通させて受け具に固定する工程と、既存防水シートの上から改修用の改修防水シートを敷設する工程と、
を備える防水シート固定構造の改修工法としてもよい。さらに、固定板用留め具を外す工程と、既存防水シートの上から改修用の改修防水シートを敷設する工程と、改修防水シートの上に改修用固定板を配置し、固定板留め具を改修用固定板および改修防水シートに貫通させて受け具に固定する工程と、改修用固定板の上から改修補強用シートを敷設し、改修用の改修防水シートと改修補強用シートとを接合する工程と、を備える防水シート固定構造の改修工法や、固定板留め具を外す工程と、既存固定板と既存防水シートの一部を取り除く工程と、既存防水シートの上から改修用の改修防水シートを敷設する工程と、受け具の上から改修用固定板を配置し、固定板留め具を既存固定板に貫通させて受け具に固定する工程と、を備える防水シート固定構造の改修工法や、固定板留め具を外す工程と、既存固定板と既存防水シートの一部を取り除く工程と、受け具の上に改修用固定具を配置し、固定板留め具を既存固定板に貫通させて受け具に固定する工程と、既存防水シート及び改修用固定板の上から改修用の改修防水シートを敷設する工程と、改修用固定板と改修用の改修防水シートとを接合する工程と、を備える防水シート固定構造の改修工法や、固定板用留め具を外す工程と、既存固定板と既存防水シートの一部を取り除く工程と、既存防水シートの上から改修用の改修防水シートを敷設する工程と、改修防水シートの上に改修用固定板を配置し、固定板留め具を改修用固定板および改修防水シートに貫通させて受け具に固定する工程と、改修用固定板の上から改修補強用シートを敷設し、改修用の改修防水シートと改修補強用シートとを接合する工程と、を備える防水シート固定構造の改修工法としてもよい。
さらに、これらの改修工法の後にさらに2回目の改修を行う改修工法として、固定板留め具を外す工程と、受け具の上に新たな固定板を配置し、固定板留め具を新たな固定板に貫通させて受け具に固定する工程と、改修防水シートの上から新たな防水シートを敷設する工程と、を備える防水シート固定構造の改修工法とすることができる。
【発明の効果】
【００１１】
本発明によれば、下地に受け具が打ち込まれ、固定板留め具が固定板を貫通して受け具と着脱可能な状態で固定されていることから、改修時に改修用の固定板の位置決めを容易にすることで改修にかかる工数を低減することが可能となる。さらに、下地への新たな穿孔が不要となり音や振動を低減することができる。
【図面の簡単な説明】
【００１２】
【図１】本発明の第１実施形態を示す断面図である。
【図２】本発明の第１実施形態の変形例を示す断面図である。
【図３】本発明の第２実施形態を示す断面図である。
【図４】本発明の第２実施形態の変形例を示す断面図である。
【図５】本発明の第１実施形態、第２実施形態の変形例を示す断面図である。
【図６】本発明の第１実施形態、第２実施形態の変形例を示す断面図である。
【図７】本発明の第１実施形態、第２実施形態の変形例を示す断面図である。
【発明を実施するための形態】
【００１３】
以下、本発明の実施形態について図面を参照して詳細に説明する。
【００１４】
図１、図２に第１実施形態である改修前の防水シート固定構造の断面図を示す。下地１に受け具２が打ち込まれ、その上に既存固定板３が配置され、固定板留め具４が既存固定板３を貫通して受け具２に留め付けられている。さらに、下地１の上には既存防水シート５が敷設され、既存固定板３によって既存防水シート５が固定されている。
防水シート固定構造は受け具２に固定板留め具４が着脱可能に固定され、固定板留め具４によって既存防水シート５が固定されている。そのため、改修時の位置決めが容易になる。さらに、既存防水シート５の改修行うために固定板留め具４を用いる際に新たに下地を穿孔することなく固定板留め具４を固定することができる。このように、本実施形態は改修施工に適した防水シート固定構造となっている。
【００１５】
より具体的に図１の実施形態は先付工法による防水シート固定構造であり、下地１に受け具２が固定されている。既存固定板３は受け具２の上に配置され、固定板留め具４が既存固定板３を貫通して下地に向けて受け具２に留め付けられている。そして、既存固定板３と下地１を覆うように既存防水シート５が敷設され、既存固定板３の上面と既存防水シート５の下面とが接合されることで既存防水シート５が既存固定板３に固定される。このように、既存防水シート５は既存固定板３を介して下地１に対し固定される。
【００１６】
既存固定板３と既存防水シート５との接合は、熱による融着や溶剤による溶着等が用いられるが、図１の実施形態においては誘導加熱装置による融着により接合されている。
【００１７】
図２には第１実施形態の変形例として、後付工法による防水シート固定構造を示している。下地１に既存防水シート５が敷設され、下地１に受け具２が打ち込まれ、その上に既存固定板３が配置され、固定板留め具４が既存固定板３を貫通して受け具２に留め付けられている。さらに既存固定板３と既存防水シート５の一部を覆うように既存補強用シート６が敷設されている。既存補強用シート６の端縁部が既存防水シート５と接合され、端縁部にはシーラー (図示せず)が塗布されている。
【００１８】
ここで、受け具２と固定板留め具４とは着脱可能となればよい。図１のように、凹部形状の受け具２と凸部形状の固定板留め具４とすることができる。さらに、受け具２と固定板留め具４はねじ切りを有していることで容易に着脱が可能かつ固定強度も保たれるため好ましい。さらに、受け具２がメネジを有し、固定板留め具４がオネジを有することがより好ましい。
【００１９】
受け具２は下地に打ち込まれて固定される。より具体的には下地１が形成された後に下地１の上から下地１に打ち込まれて固定される。そこで、受け具２は下地１を穿孔し下穴を設け、受け具２を打ち込んでも良いし、下地１を直接受け具２が穿孔し、受け具２を下地１に打ち込んでも良い。
【００２０】
下地１を穿孔し下穴を設ける場合は特に、下地１に受け具２が充分に固定される固定手段を設けることがより好ましい。この場合、下地１に設けた下穴にエポキシ系やウレタン系等の接着剤を注入しても良いし、下穴に挿入される適度な柔軟性を有する緩衝材を用いてもよい。緩衝材は下穴に挿入され、その上から受け具２が打ち込まれる。その際に緩衝材は柔軟性を有するため下穴と受け具２の間を埋め、下地１に対し受け具２とを強固に固定することを補助するものである。したがって、緩衝材は適度な柔軟性と強度を有する樹脂製であり、下穴に挿入されその内側に受け具２を受け止める形状であることが好ましい。図１の様な筒状の受け具の場合は緩衝材も受け具２と同様の形状である筒状が好ましい。また、複数の固定手段を用いても良く、接着剤と緩衝材を併用してもよい。
【００２１】
また、下地１に受け具２を充分に固定する別の形態として、受け具２に固定手段を有していても良い。例えば、受け具２を下地１に設けた下穴に打ち込み、受け具２の外形が広がるか、突起状物が広がる等して受け具２が下穴の中で強固に固定されても良い。下地１の内部側に挿入される受け具２の先端側が拡張部を有しており、この拡張部が下地に対し拡張することで受け具２が下地に強固に固定される。さらに、受け具２は円筒形で内部に空間を有する本体と本体の内側に挿入されたコア部を有し、本体にはスリットを有した拡張部が設けられ、コア部を本体内側に押し込むことで拡張部がスカート状に広がる構造としてもよい。また、コア部を本体内部に押し込むことで本体から外側に向けて突起状物が突き出す構造としても良い。ここで、コア部はコーン形状とすることもできる。そして、本体内側にはメネジを有することでオネジを有する固定板留め具４との着脱が容易となる。
別の形態として、下地１に打ち込まれる受け具２の下地側と逆側、すなわち下地に対し上側にツバ状部を設けても良い。例えば受け具２の本体が内側にメネジを有する円筒形状であり、この本体の一側端縁の円周に沿って本体部の径よりも大きい板状のツバ状部を有する形態が例示できる。このようにツバ状部を有することで受け具２は側面から見て略Ｔ字形となる。したがって、ツバ状部は受け具２が下地１に打ち込まれた際に本体より径の大きいツバ状部が下地１の上に止まり受け具２が下地に打ち込まれ過ぎないように規制する。また、固定板留め具４を固定する際に下地１の一定位置に受け具２が打ち込まれるため、固定板留め具４の長さが不足するという不具合を防止することができる。さらに既存固定板３をその上に配置し固定板留め具４を受け具２に固定することで既存固定板３がより安定して固定された状態となる。
【００２２】
固定板留め具４は、受け具２に着脱可能に固定されることを要し、受け具２に対応した形状であることが好ましい。また固定板留め具４は、既存防水シート５を受け具２に固定するための留め具であって、ネジ、ビス、ボルト、釘等が用いられる。材質としては、炭素鋼、合金鋼、ステンレス鋼等の鋼材などが使用できる。また、既存固定板３の上面から頭部がはみ出ないように、固定板留め具４の頭の形状は皿、平、なべがよく、ドライバーやレンチで掛ける座面の窪み形状は十字穴、六角穴、四角穴が好ましい。
受け具２にメネジを有していれば固定板留め具４はオネジを有することで着脱が容易になり好ましい。
また、固定板留め具４を受け具２に固定する際に、固定板留め具４と既存固定板３等の固定板との間に座金、ワッシャー、ゴム等の弾性体を挟んで固定しても良い。
【００２３】
既存固定板３は既存防水シート５を固定できるものであればよい。厚み方向に貫通し、固定板留め具４を打ち込むための穴を備えていることが好ましい。この穴の周囲には固定板留め具４の頭が収容されるための座くりが設けられていることが好ましい。既存固定板３の厚みは０．５ｍｍ〜２．０ｍｍ程度で、形状は正方形または長方形をした矩形状のプレート状や、円形または楕円形状のディスク状、長尺状など任意であり、大きさは１辺または外径が５０ｍｍ〜１００ｍｍ程度に形成することができる。既存固定板３は金属製、硬質合成樹脂製、木製等が用いられる。強度や耐久性の点から金属製が好ましい。金属製の固定板を構成する鋼鈑の材質としては、ステンレス板や、亜鉛・アルミニウム・マグネシウムメッキまたは亜鉛メッキ等の防錆処理が施された鋼板など、多湿状態でも錆びにくい鋼鈑が好適に使用される。
ここで、後述する改修に用いる改修用固定板、２回目以降の改修に用いる改修用固定板も既存固定板と同様の物を用いることができる。
【００２４】
図１の実施形態のように融着により既存固定板３と既存防水シート５とが接合される場合には既存固定板３の上面には接着層が設けられている。既存固定板３の接着層としてはアクリル系、ウレタン系、エポキシ系、ニトリルゴム系、スチレン‐ブタジエンゴム系などの各種接着剤や、ポリ塩化ビニル系樹脂、ポリオレフィン系樹脂、アクリル系樹脂等の熱可塑性樹脂被覆層、またポリ塩化ビニル系樹脂やアクリル系樹脂などの熱可塑性樹脂の組成物を溶剤に溶解したシール材などを用いることができる。接合強度を考慮すると、既存防水シート５と熱可塑性樹脂被覆層の材質は同種のものを用いるのが好ましく、既存防水シート５がポリ塩化ビニル系樹脂製である場合には、既存固定板３の熱可塑性樹脂被覆層もポリ塩化ビニル系樹脂からなることが好ましい。また接着層は既存固定板３の上面に予め設けるだけでなく、施工時に新たに設けてもよい。
【００２５】
下地１は建築物の屋上、ベランダ、バルコニー等の躯体であり、コンクリート下地、金属下地、軽量発泡コンクリート（ＡＬＣ）、鋼材、木質材等が用いられる。また、下地１の上に無機質板、モルタル材層等の他の層を積層しても良い。
【００２６】
既存防水シート５としては熱可塑性樹脂製防水シートが好ましく使用され、ポリ塩化ビニル系樹脂、ポリオレフィン系樹脂、アクリル系樹脂等を使用することができる。
既存防水シート５は熱可塑性樹脂層の単層でも良いが、寸法安定性、引張強度に優れるという点からガラスクロス、ガラス不織布、ポリエステルクロス、ポリエステル不織布等の基材層を積層した複層品が好ましい。基材層は最下層に設けても良いが熱可塑性樹脂層の中間に設けても良い。また熱可塑性樹脂層は一層であっても、複数の層であってもよく、それぞれの層の組成を異なるものとしてもよい。
ここで、後述する改修に用いる改修防水シート、２回目以降の改修に用いる改修防水シートも既存防水シートと同様の物を用いることができる。
【００２７】
既存補強用シート６は既存防水シート５と同様のシートが使用でき、熱可塑性樹脂製防水シートが好ましく使用され、塩化ビニル系樹脂、ポリオレフィン系樹脂、アクリル系樹脂等を使用することができる。既存補強用シート６は熱可塑性樹脂層の単層でも良く、ガラスクロス、ガラス不織布、ポリエステルクロス、ポリエステル不織布等の基材層を積層した複層品でも良い。また熱可塑性樹脂層は一層であっても、複数の層であってもよく、それぞれの層の組成を異なるものとしてもよい。
ここで、後述する改修に用いる改修補強用シート、２回目以降の改修に用いる改修補強用シートも既存補強用シートと同様の物を用いることができる。
【００２８】
本発明においては上記以外の部材等をさらに設けても良い。例えば、下地に断熱層となる断熱材を用いたり、無機質板、緩衝用シート等を用いても良い。
【００２９】
第２実施形態として、第１実施形態の改修について説明する。
第２実施形態は下地に打ち込まれた受け具から固定板留め具を取り外し、改修用固定板を固定板留め具を受け具に留め付けることで改修用固定板を固定し、改修用固定板によって改修用の防水シートを固定することを要旨とする。下地に受け具が固定されているために改修時の改修用固定板を留めつける際に受け具に合わせて改修用固定板を配置することができ、改修用固定板の位置決め作業が簡易となり、改修施工の工数低減となる。また、改修時にも受け具を繰り返し使用するため、下地への新たな穿孔が不要となり、改修時の音や振動を低減できる。
【００３０】
図１、図２の防水シート固定構造において第２実施形態の防水シート固定構造の改修工法を図３、図４を用いて説明する。固定板留め具４を覆う既存防水シート３または既存補強用シート６を切開するなどして固定板留め具４を外す。そして、既存防水シート５の上から改修防水シート８を敷設するとともに、受け具２の上に配置された改修用固定板７を貫通して固定板留め具４を受け具２に固定する。改修防水シート８は改修用固定板７によって固定される。
このように、第２実施形態の改修工法は、改修前の工法が先付工法、後付工法のいずれにも適用できる。また、改修前が先付工法の場合の改修工法は先付工法、後付工法のいずれも適用でき、同様に改修前が後付工法の場合も改修工法は先付工法、後付工法を適用することができる。
ここで、改修に際して既存防水シート５、既存固定板３の少なくとも一方を取り外してもよい。また、既存防水シート５、既存固定板３を取り外すことなく改修を行っても良い。次に既存防水シート５、既存固定板３のいずれも取り外す場合についてさらに説明する。
【００３１】
先付工法の改修について図１、図３により説明する。
既存防水シート５を切開し固定板留め具４を外すとともに、既存固定板３の周囲の既存防水シート５を切断し、この切断した既存防水シート５と既存固定板３を取り外す。そして、改修用固定板７を受け具２の上に配置し、固定板留め具４で受け具２に固定する。次に、改修用防水シート８を既存防水シート５の上から下地１の上に敷設し、改修防水シート８と改修用固定板７とを接合し、改修防水シート８を固定する。
改修用固定板７と改修防水シート８との接合は、既存防水シート５と既存固定板３との接合と同様に、熱による融着や溶剤による溶着等が用いられるが、図２の実施形態においては誘導加熱装置による融着により接合されている。
【００３２】
より具体的な例として、図１においてコンクリート製の下地１に受け具２が打ち込まれ固定されている。受け具２は円柱形で内側にメネジが設けられている。そして、円形の鋼板で上面に接着層としてポリ塩化ビニル樹脂層を有する既存固定板３が受け具２の位置に合わせて下地１に配置され、固定板留め具４を受け具２に留め付けることで既存固定板３が固定される。固定板留め具４はビスであって、オネジを有し受け具２に対応しねじ込み可能となっている。下地１、既存固定板３を覆うポリ塩化ビニル樹脂製の既存防水シート５が敷設され、既存防水シート５の下面と既存固定板３の接着層とが誘導加熱装置により溶融接合されている。
図３の改修時には、既存防水シート５の一部を切開し、受け具２にねじ込まれている固定板留め具４を逆回転することで取り外す。既存固定板３の周囲で既存防水シート５を切断し、既存防水シート５を既存固定板３とともに取り外す。そして、改修用固定板７を受け具２の位置にあわせて配置し、改修用固定板７の上から固定板固定具４のオネジ部分を受け具２のメネジ部分にねじ込んで固定し、これにより改修用固定板７を下地１に固定する。改修防水シート８を既存防水シート５と改修用固定板７を覆って敷設する。改修用固定板７、改修防水シート８は既存固定板３、既存防水シート５と同様の物を使用している。そして、改修防水シート８の下面と改修用固定板７の接着層とを誘導加熱装置により溶融接合する。
【００３３】
ここで、既存固定板３と既存防水シート５とは接合されているので、既存防水シート５を既存固定板３から剥離させることが容易でない場合は、新たな固定板として改修用固定板７を用いることが好ましい。特に、誘導加熱装置による融着により既存固定板３と既存防水シート５とが接合されている場合は、既存防水シート５を既存固定板３から剥離させても既存防水シート５がきれいに剥離せず、また既存固定板３の接着層（図示なし）も再利用が困難なため、改修用固定板７は新たな固定板を使用することが好ましい。
【００３４】
また、既存固定板３を取り外す際に既存防水シート５切り取ることになるが、少なくとも固定板留め具４上の既存防水シート３を切り取ればよい。既存固定板３よりも大きく既存防水シート５を切り取ってもよい。図３では切り取られた既存防水シート５が既存固定板３に対応した大きさであり、残った既存防水シート５が下地１上に敷設されている。
【００３５】
既存固定板３を取り外すには固定板留め具４を外すこととなる。既存防水シート５を切り抜く、切込みを入れる等して、固定板留め具４の頭を露出させ、固定板留め具４の頭に設けられた窪みにドライバーやドリル等を用いて固定板留め具４を外すことができる。
【００３６】
このようにして、既存固定板３と既存防水シート５を取り外すことで、受け具２が視認できる状態となる。これにより受け具２を目安として、受け具２の上に改修固定板を容易に配置し固定することができる。
【００３７】
受け具２を下地１に固定し、受け具２に固定板留め具４が着脱可能に固定されていることにより、固定板留め具を下地に固定する際に下地を穿孔する必要がない。そのため改修工事における音や振動を低減することができる。ここで、病院やマンション等、日時を問わず人が部屋にいる場合には改修時の音や振動が問題となる。このような場合に、受け具２に固定板留め具４が着脱可能に固定されていることにより、改修時の穿孔が不要となり、音や振動が低減できる。
【００３８】
次に図２の実施形態の改修について図２、図４により説明する。既存固定板３の周囲の既存補強用シート６を切断し、さらに固定板留め具４を外して、切断した既存補強用シート６を取り外す。既存防水シート５、受け具２の上から改修防水シート８を敷設する。そして、改修用固定板７を受け具２の上部であって改修防水シート８の上に配置し、固定板留め具４で受け具２に固定する。改修用固定板7は受け具２を目安に配置することができるので位置決めが容易になる。固定板留め具４は、既存の固定板留め具を用いても良いし、新たな固定板留め具に交換しても良い。耐久性の面から新たな固定板留め具に交換することが好ましい。改修用固定板７を覆うように改修防水シート８の上から改修補強用シート９を敷設、固定する。図４では改修補強用シート９の周囲と改修防水シート８とを接合している。改修補強用シート９の周囲と改修防水シート８との接合は、熱による融着や溶剤による溶着や接着剤による接着等を用いることができる。改修補強用シート９の端縁部には止水用にシーラー（図示せず）を塗布する。
【００３９】
より具体的な例として、図２においてコンクリート製の下地１に受け具２が打ち込まれ固定されている。受け具２は円柱形で内側にメネジが設けられている。そして、ポリ塩化ビニル樹脂製の既存防水シート５が下地の上に敷設され、既存防水シート５の上に既存固定板３が配置されている。既存固定板３は円形の鋼板で上面および下面にポリ塩化ビニル樹脂層を有している。既存固定板３を貫通して固定板留め具４が受け具２に留め付けて固定されている。ここで、固定板留め具４はオネジを有したビスであって、メネジを内側に有する受け具２に対応しねじ込み可能となっている。したがって、固定板留め具４により既存固定板３が固定され下地１と既存固定板３とで締め付けられることで既存防水シート５は下地に対し固定される。さらに、ポリ塩化ビニル樹脂製の既存補強用シート６を既存固定板３の上から配置し既存補強シート６の裏面（下面）と既存固定板３の表面（上面）とを接合されるとともに、既存固定板３より大きく形成された既存補強用シート６の外縁部を既存防水シート５と接合されている。さらに、既存補強用シート６の周囲にはシーラー（図示なし）により止水処理が行われている。
図４に改修時には、既存固定板３の周囲の既存補強用シート６を切断し、さらに既存補強用シート６を切開し固定板留め具４を外して、切断した既存補強用シート６と既存固定板３を取り外す。ここで、既存補強用シート６と既存固定板３とは接合されており同時に取り外すことができる。既存防水シート５、受け具２の上からポリ塩化ビニル樹脂製の改修防水シート８を敷設する。そして、上下面ともポリ塩化ビニル樹脂層で被覆された改修用固定板７を受け具２の上部であって改修防水シート８の上に配置する。オネジを有する固定板留め具４を、メネジを有する受け具２に回し入れて固定する。これにより改修用固定板７が下地に対し固定され、改修用固定板７と下地１とで締め付けられることで改修防水シート８が固定される。改修用固定板７を覆うように改修防水シート８の上からポリ塩化ビニル樹脂製の改修補強用シート９を配置する。改修補強用シート９の裏面を改修用固定板７のポリ塩化ビニル樹脂層（図示なし）および改修防水シート８と接合し、端縁部をシーラー（図示なし）で止水処理する。
【００４０】
次に、改修時に既存固定板３を取り外さない場合について説明する。
改修時に既存固定板３を取り除かない改修工法は、既存固定板３を取りは外さない点が図３および図４の改修工法と異なっている。図６、図７の改修工法は既存防水シート５、既存固定具３の上から改修用の改修防水シート８を敷設する工程と、受け具２の上部に改修用の改修用固定板７を配置し、固定板留め具４で改修用固定板７を貫通して受け具２に留め付ける工程を有し、改修用固定板７で改修防水シート８を固定している。
以下、図６、図７についてより具体的に説明する。
【００４１】
図1の先付工法における改修工法について図６により説明する。固定板留め具４上の既存防水シート５の一部を切開し、固定板留め具４を外す。そして、既存防水シート５と既存固定板３とを取り外すことなく改修用固定板７を受け具２上に配置し、改修用固定板７を固定板留め具４で受け具２に固定する。次に改修防水シート８を既存防水シート５の上から下地１の上に敷設し、改修防水シート８と改修用固定板７とを接合し、改修防水シート８を固定する。
【００４２】
次に図２の後付工法における改修工法について図７により説明する。固定板留め具４上の既存補強用シート６の一部を切開し、固定板留め具４を外す。既存固定板３を取り外すことなく既存防水シート５、受け具２の上から改修防水シート８を敷設する。そして改修防水シート８の上から改修用固定板７を受け具２の上に配置し、固定板留め具４で受け具２に固定する。改修用固定板７を覆うように改修防水シート８の上から改修補強用シート９を敷設、固定する。図７では改修補強用シート９の周囲と改修防水シート８とを接合している。改修補強用シート９の周囲と改修防水シート８との接合は、熱による融着や溶剤による溶着や接着剤による接着等を用いることができる。改修補強用シート９の端縁部にはシーラー（図示せず）で止水処理を行う。
【００４３】
以上の様に改修工法においては、既存固定板３や既存防水シート５を取り外しても良いし、残しても良い。また、既存固定板３、既存防水シート５のいずれか一方を取り外しても良い。ここで、既存固定板３、既存防水シートを取り外すと改修後の防水構造の厚みが薄くなり意匠性および歩行時の安全性が高くなるとの点で好ましい。一方、既存固定板３、既存防水シート５を残すと施工においてこれらを取り外す工数が削減でき、廃材を削減できるとの点で好ましい。また、既存補強用シート６も同様に取り外しても良いし、取り付けたまま改修しても良い。
【００４４】
また、先付工法の改修には先付工法を用い、後付工法の改修には後付工法を用いる例を示した。しかし、先付工法の改修に後付工法を用いても良いし、後付工法の改修に先付工法を用いても良い。
【００４５】
図５に第１実施形態の変形例として、パラペット等の立上がった壁部の構造を示す。図５の実施形態は立上がり部における先付工法による防水シート固定構造である。下地１に受け具２が立上がり壁１０に沿って固定されている。受け具２の上には既存固定板３が固定板留め具４によって固定されている。本変形例において既存固定板３は長方形の板状であり、固定板留め具４は既存固定板３を貫通して受け具２に留め付けられている。より具体的に、既存固定板３はパラペット等の立上がり壁１０の伸びている方向に沿って長尺状に形成されている。そして、既存固定板３と下地１を覆うように既存防水シート５が敷設され、既存固定板３の下地に対し上面と既存防水シート５の下面とが接合されることで既存防水シート５が既存固定板３に固定される。このように、既存防水シート５は既存固定板３を介して下地１に対し固定される。既存固定板３の上面には既存防水シート５と同じポリ塩化ビニル樹脂系の接着層が設けられており、既存防水シート５の下面と既存固定板３の上面とが誘導加熱装置による融着により接合されている。
このような防水シート固定構造は受け具２に固定板留め具４が着脱可能に固定され、固定板留め具４によって既存防水シート５が固定されている。そのため、既存防水シート５の改修行うために固定板留め具４を用いる際に新たに下地を穿孔することなく固定板留め具４を固定することができる。さらに、既存固定板３は長尺状であり受け具２が既存固定板３に沿って線上に配置されているので、改修時の位置決めが容易になる。このように、本変形例も改修施工に適した防水シート固定構造となっている。
【００４６】
第２実施形態の変形例として立上がり部の改修について図５により説明する。
既存防水シート５の固定板留め具４と対応する位置に切込みを入れ、固定板留め具４の頭を露出させて、固定板留め具４を取り外す。次に既存固定板３の周囲の既存防水シート５を切断し、切断した既存防水シート５と既存固定板３を受け具２から取り外す。そして、改修用固定板７を受け具２の上に配置し、改修用固定板７を固定板留め具４で受け具２に固定する。次に、改修防水シート８を既存防水シート５の上から下地１の上に敷設し、改修防水シート８と改修用固定板７とを接合し、改修防水シート８を固定する。改修用固定板７と改修防水シート８との接合は、熱融着により接合されている。改修用固定板７は既存固定板３と同様に、長方形の板状に形成され、立上がり壁１０の伸びている方向に沿って長尺状に形成されている。
ここで本変形例においては、既存固定板３、既存防水シート５を取り外しているが、既存固定板３の既存防水シート５のいずれか１つまたは両方を取り外すことなく改修を行っても良い。
【００４７】
次に２回目以降の改修方法について説明する。２回目以降の改修方法も第２実施形態と同様である。固定板留め具を外し、改修用の固定板を固定板留め具を受け具に固定し、改修用の防水シートを改修用の固定板で固定することを要旨とする。２回目以降の改修においても、下地に受け具が固定されているために改修時の固定板を留めつける際に受け具に合わせて固定板を配置することができ、固定板の位置決め作業が簡易となり、さらには下地への新たな穿孔が不要となし、改修施工の工数、音を低減できる。
２回目の改修（３回目の施工方法）においても1回目の改修工法と同様に改修用固定板７、改修防水シート８を取り除いても良いし、残しても良い。また既存固定板３、既存防水シート５についても同様に取り外しても良いし、残しても良い。
また、新設の施工時、１回目以降の改修時に行っていた、先付工法、後付工法によらず、２回目以降の改修においても先付工法、後付工法のいずれを用いても良い。
【００４８】
先付の場合の２回目の改修（３回目の施工方法）について説明する。図３（３−２）において、改修用固定板７の周囲の改修防水シート８を切断し、さらに固定板留め具４を外して、切断した改修防水シート８と改修用固定板７を受け具２から取り外す。そして、新たな固定板（図示なし）を受け具２の上に配置する。新たな固定板（図示なし）は固定板留め具４で受け具２に固定される。次に、新たな防水シート（図示なし）を改修防水シート８の上から下地１の上に敷設し、新たな防水シートと新たな固定板とを接合し、新たな防水シートを固定する。
新たな固定板と新たな防水シートとの接合は、熱による融着や溶剤による溶着等が用いられる。
【００４９】
後付の場合の２回目の改修（３回目の施工方法）について説明する。図４（４−２）において、改修用固定板７の周囲の改修防水シート８と改修補強用シート９を切断し、さらに固定板留め具４を外して、切断した改修防水シート８、改修補強用シート９、改修用固定板７を受け具２から取り外す。受け具２の上から新たな防水シート（図示なし）を敷設する。そして、新たな固定板（図示なし）を受け具２の上部であって新たな防水シート６の上に配置し、固定板留め具４で受け具２に固定する。新たな固定板を覆うように新たなの防水シートの上から新たな補強用シートを敷設、固定する。新たな補強用シートの周囲と新たな防水シート６との接合は、熱による融着や溶剤による溶着や接着剤による接着等を用いることができる。
【００５０】
図６、図７のように固定板を取り外すことなく改修を行う場合の３回目以降の改修は２回目の改修と同様に行うことができる。固定板留め具４を外し、受け具２の上部であって、すでに固定されている固定板の上から改修用の固定板を受け具２に固定し、固定板によって改修用の防水シートを固定する。
【００５１】
図６（６−２）の先付の場合の２回目の改修（３回目の施工方法）について説明する。固定板留め具を外し、新たな固定板（図示なし）を受け具２の上部に配置し、固定板留め具４にて新たな固定板は固定板留め具７で受け具２に固定される。次に、新たな防水シート（図示なし）を改修防水シート８の上から下地１の上に敷設し、新たな防水シートと３新たな固定板とを接合し、新たな防水シートを固定する。
新たな固定板と新たな防水シートとの接合は、熱による融着や溶剤による溶着等が用いられる。
【００５２】
図７（７−２）の後付の場合の新たな改修（３回目の施工方法）について説明する。固定板留め具４を外し、改修補強用シート９、改修防水シート８、受け具２の上から新たな防水シート（図示なし）を敷設する。そして、新たな固定板（図示なし）を受け具２の上部に配置し、固定板留め具４にて固定板を固定する。新たな固定板を覆うように新たな防水シートの上から新たな補強用シートを敷設、固定する。新たな補強用シートの周囲と新たな防水シートとの接合は、熱による融着や溶剤による溶着や接着剤による接着等を用いることができる。そして、新たな補強用シート（図示なし）の周囲にシーラー（図示なし）を塗布する。
【００５３】
３回目以降の改修（４回目の施工）も２回目の改修と同様にして行うことができる。
【００５４】
なお、本発明は以上説明した実施形態に限定されるものではなく、またこの他にも本発明の技術的思想内においてさまざまな形態をとり得ることができる。
【符号の説明】
【００５５】
１      下地
２      受け具
３      既存固定板
５      既存防水シート
６      既存補強用シート
７      改修用固定板
８      改修防水シート
９      改修補強用シート
【図１】
2018009302.tif 000003
【図２】
2018009302.tif 000004
【図３】
2018009302.tif 000005
【図４】
2018009302.tif 000006
【図５】
2018009302.tif 000007
【図６】
2018009302.tif 000008
【図７】
2018009302.tif 000009